(57)【要約】      （修正有）【課題】携帯端末のジャック孔に挿入して装着する携帯端末用アクセサリにおいて、着脱行為の繰り返しによって軸部が折れて損壊することを防止する携帯端末用アクセサリの軸部を提供する。【解決手段】携帯端末用アクセサリ１００の軸部２０は、中心部に金属芯棒を有し、携帯端末のジャック孔に着脱自在に差し込まれ嵌合させて使用する。なお、上記金属心棒の素材は、ステンレスあるいは銅やチタン等ある程度の硬度を有すれば、特に限定されない。【選択図】図１
0003171345.tif 000002
【実用新案登録請求の範囲】
【請求項１】
中心部に金属芯棒を有し、携帯端末のジャック孔に着脱自在に差し込まれ嵌合されることを特徴とする携帯端末用アクセサリの軸部。
【請求項２】
前記金属芯棒は、ステンレスからなることを特徴とする請求項１に記載の携帯端末用アクセサリの軸部。
【請求項３】
前記金属芯棒の一端部は、前記ジャック孔に嵌合される携帯端末用アクセサリの軸部の先端部に対向する端部と同一の面を構成するように形成されていることを特徴とする請求項１又は請求項２に記載の携帯端末用アクセサリの軸部。
【請求項４】
前記金属芯棒の一端部は、前記ジャック孔に嵌合される携帯端末用アクセサリの軸部の先端部に対向する端部から突出するように形成されることを特徴とする請求項１又は請求項２に記載の携帯端末用アクセサリの軸部。
【請求項５】
前記ジャック孔に嵌合される携帯端末用アクセサリの軸部の先端部に対向する端部に雄ネジ部が形成され、前記雄ネジ部は、内部に雌ネジ部が形成された装飾部に着脱自在に螺合されることを特徴とする請求項１から請求項４のいずれか一つに記載の携帯端末用アクセサリの軸部。
【請求項６】
略円柱状の外形を有し、前記ジャック孔の内部構造に対応して前記円柱の外周に複数の溝が形成されていることを特徴とする請求項１から請求項５のいずれか一つに記載の携帯端末用アクセサリの軸部。
【考案の詳細な説明】
【技術分野】
【０００１】
本考案は、携帯電話等の携帯端末用アクセサリに関し、より詳細には、スマートフォンなど装飾用ストラップ等を付けるためのストラップホールが形成されていない携帯端末を装飾するためのアクセサリの軸部に関する。
【背景技術】
【０００２】
近年、携帯端末として、携帯電話・ＰＨＳと携帯情報端末（ＰＤＡ）を融合した、いわゆるスマートフォン等が多くのユーザに利用されている。これらのスマートフォンの中には、従来の携帯電話端末と異なり、ストラップ等を付けるためのストラップホールが形成されていないものも存在する。従来のストラップホールが形成されている携帯電話を使用していたユーザにとっては、スマートフォンに従来の携帯端末用アクセサリである装飾用ストラップ等の装飾品を付けることができないという不満があり、スマートフォンにアクセサリ等を付けて携帯電話を装飾することができないという問題があった。
【０００３】
従来の携帯端末用アクセサリとしては、携帯端末のケースに設けられたストラップホールにループ状の糸を通して携帯端末に結び付けられる携帯ストラップがある。また、携帯端末のケース表面にラインストーンを接着させたりシールを貼ったりして装飾する携帯端末の装飾方法も利用されている。
【０００４】
しかし、従来の携帯端末用アクセサリにおいては、携帯ストラップはストラップホールが形成されていない携帯端末に用いることができず、携帯端末のケース表面にラインストーンやシールを接着・貼付する装飾方法は、装飾品を一度接着・貼付した後に他の装飾品に付け替えることが困難であるという問題があった。
【０００５】
その他の従来の携帯端末用アクセサリとして、例えば携帯電話機のイヤホンジャックカバーに取り付ける装飾用グッズ（実用新案登録第３０８８４９６号）がある。
【０００６】
しかし、上記装飾用グッズは、イヤホンジャックカバーに突き刺して装着する構造を有するため、イヤホンジャックカバーを有しない携帯端末には装着することができないという問題がある。現在販売されている携帯電話の中にも、イヤホンジャックカバーが形成されず、ジャック孔が露出しているものが多く存在する。
【０００７】
また、上記装飾用グッズは装飾部と装着部とを着脱することができない構造を有するため、装着部に破損や摩耗等の損傷が生じた場合には、装飾部を含む装飾用グッズ全体が使用できなくなるという問題があった。したがって、上記装飾用グッズにおいては、損傷した装着部のみを新しい装着部に取り替えて、同じ装飾部を長期間使用し続けることができないという問題もある。この問題は、装飾部に高価な宝石や貴金属を用いる場合に特に顕著となる。
【０００８】
さらに、携帯端末アクセサリをイヤホンジャックのジャック孔に差し込み嵌合して装着する形状とする場合には、繰り返し行われる着脱行為によってジャック孔に差し込まれる軸部が折れて損壊する場合があるという問題がある。
【先行技術文献】
【特許文献】
【０００９】
【特許文献１】実用新案登録第３０８８４９６号公報
【考案の概要】
【考案が解決しようとする課題】
【００１０】
そこで、本考案においては、装飾用ストラップ等を付けるためのストラップホールが形成されていない、いわゆるスマートフォンなどの携帯端末であっても装飾することができる携帯端末用アクセサリの軸部を提供することを目的とする。
【００１１】
また、本考案においては、携帯端末に装着される部分が損傷した場合でも同じ装飾部を長期間使用することができる携帯端末用アクセサリの軸部を提供することを目的とする。
【００１２】
さらに、本考案においては、携帯端末のジャック孔に挿入して装着する携帯端末用アクセサリにおいて、着脱行為の繰り返しによって軸部が折れて損壊することを防止する携帯端末用アクセサリの軸部を提供することを目的とする。
【課題を解決するための手段】
【００１３】
本考案の一実施形態にかかる携帯端末用アクセサリの軸部は、中心部に金属芯棒を有し、携帯端末のジャック孔に着脱自在に差し込まれ嵌合されることを特徴とする。
【００１４】
また、本考案の他の実施形態にかかる携帯端末用アクセサリの軸部において、金属芯棒は、ステンレスであってもよい。
【００１５】
また、本考案の他の実施形態にかかる携帯端末用アクセサリの軸部において、金属芯棒の一端部は、ジャック孔に嵌合される携帯端末用アクセサリの軸部の先端部に対向する端部と同一の面を構成するように形成されてもよい。
【００１６】
また、本考案の他の実施形態にかかる携帯端末用アクセサリの軸部において、金属芯棒の一端部は、ジャック孔に嵌合される携帯端末用アクセサリの軸部の先端部に対向する端部から突出するように形成されてもよい。
【００１７】
また、本考案の他の実施形態にかかる携帯端末用アクセサリの軸部は、ジャック孔に嵌合される携帯端末用アクセサリの軸部の先端部に対向する端部に雄ネジ部が形成され、雄ネジ部は、内部に雌ネジ部が形成された装飾部に着脱自在に螺合されてもよい。
【００１８】
また、本考案の他の実施形態にかかる携帯端末用アクセサリの軸部は、略円柱状の外形を有し、ジャック孔の内部構造に対応して円柱の外周に複数の溝が形成されてもよい。
【考案の効果】
【００１９】
本考案にかかる携帯端末用アクセサリの軸部によれば、ストラップ等を付けるためのストラップホールが形成されていない携帯端末に対してもアクセサリを付けて装飾することができる。
【００２０】
また、本考案にかかる携帯端末用アクセサリの軸部によれば、内部にイヤホン端子が形成されたジャック孔を本考案にかかる携帯端末用アクセサリの軸部で塞ぐことにより、ジャック孔にほこりや水が浸入するのをある程度防ぐことができる。
【００２１】
さらに、本考案にかかる携帯端末用アクセサリの軸部によれば、装飾部のみを容易に付け替えることができるため、携帯端末ユーザの気分やＴＰＯに合わせて様々な装飾を施すことができる。
【００２２】
また、本考案にかかる携帯端末用アクセサリの軸部によれば、軸部のみを容易に交換することができるため、長期間同じ携帯端末用アクセサリを使用することによる摩耗等によって軸部が劣化・損傷した場合でも、軸部のみを交換することによって、同じ装飾部を長期間継続して使用することができる。
【００２３】
さらに、本考案にかかる携帯端末用アクセサリの軸部によれば、軸部の中心に金属芯棒を入れることによって軸部の強度を増加させることができるため、繰り返し行われる携帯端末用アクセサリの着脱行為によっても軸部が携帯端末のジャック孔内部等で折れることを防ぐことができる。
【００２４】
また、本考案にかかる携帯端末用アクセサリの軸部によれば、様々なデザインの装飾部が形成された携帯アクセサリであっても、軸部自体の長さを変えることなく、軸部の中心に形成される金属芯棒の露出部分の長さを調節するだけで、容易にジャック孔内の一定の深さまで軸部を安定的に差し込むことができる。
【００２５】
このように、本考案にかかる携帯端末用アクセサリの軸部によれば、自分の好みに合った様々なデザインの携帯端末用アクセサリをジャック孔に安定的に装着することができる。また、本考案にかかる携帯端末用アクセサリの軸部によれば、ジャック孔への着脱を繰り返し行った場合でも、携帯端末用アクセサリの軸部が折れることを防ぐことができる。これにより、携帯端末ユーザは、自己の好みや気分に合わせて携帯電話を安定的に装飾し、自己の個性を十分に表現することができ、さらに他人の携帯端末との差別化を図ることができる。
【図面の簡単な説明】
【００２６】
【図１】本考案にかかる携帯端末用アクセサリの軸部を備える携帯端末用アクセサリの一例を示す概略図である。
【図２】（Ａ）は図１の携帯端末用アクセサリの軸部に結合される装飾部の概略図である。（Ｂ）は図１の携帯端末用アクセサリの軸部の概略図である。
【図３】図２（Ｂ）のａ‐ａ’線から見た断面図である。
【図４】図１の携帯端末用アクセサリを取り付けた携帯端末を示す正面平面図である。
【図５】図１の携帯端末用アクセサリを取り付けた携帯端末の部分断面図である。
【図６】（Ａ）は図１の携帯端末用アクセサリを取り付ける前の携帯端末を示す上面平面図である。（Ｂ）は図１の携帯端末用アクセサリを取り付けた後の携帯端末を示す上面平面図である。
【図７】（Ａ）は本考案にかかる携帯端末用アクセサリの軸部に結合される装飾部の概略図である。（Ｂ）は本考案にかかる他の携帯端末用アクセサリの軸部の概略図である。
【図８】図７（Ｂ）のｂ‐ｂ’線から見た断面図である。
【図９】（Ａ）は図７に示す携帯端末用アクセサリの概略図である。（Ｂ）は図７に示す携帯端末用アクセサリの断面図である。
【図１０】図９（Ａ）の携帯端末用アクセサリを取り付けた携帯端末の部分断面図である。
【図１１】（Ａ）は図２（Ｂ）の携帯端末用アクセサリの軸部に図７（Ａ）の装飾部を組み合わせた携帯端末アクセサリの概略図である。（Ｂ）は図１１（Ａ）の携帯端末アクセサリの断面図である。（Ｃ）は図１１（Ａ）の携帯端末アクセサリを取り付けた携帯端末の部分断面図である。
【考案を実施するための形態】
【００２７】
以下、本考案を実施するための形態について説明する。なお、本考案は、以下の説明に限定されることなく、種々の異なる態様での実施が可能である。以下では、同一の部材、同一に定義される部材には同じ符号を用いる。
【００２８】
図１は、本考案にかかる携帯端末用アクセサリの軸部２０を備える携帯端末用アクセサリの一例を示す概略図である。図２は図１に示す携帯端末用アクセサリ１００を装飾部３０と軸部２０とに分離した図であって、図２（Ａ）は図１の携帯端末用アクセサリ１００の軸部２０に結合される装飾部３０の概略図、図２（Ｂ）は図１の携帯端末用アクセサリ１００の軸部２０の概略図である。
【００２９】
図１及び図２を参照すると、本考案の一実施形態にかかる携帯端末用アクセサリ１００は、本考案にかかる軸部２０と装飾部３０とを有し、本考案にかかる軸部２０は装飾部３０に着脱自在に螺合可能な構造を有する。
【００３０】
図２（Ｂ）を参照すると、本考案にかかる軸部２０は、イヤホンプラグを挿入するために携帯端末２００（図４から図６等を参照）に形成されているジャック孔２２０（図５又は図６（Ａ）を参照）に差し込み嵌合可能な形状を有し、軸部２０全体の外形は略円柱状であってもよい。
【００３１】
同じく図２（Ｂ）を参照すると、軸部２０の携帯端末に挿入される先端部に対向する側の端部には雄ネジ部２２が形成される。雄ネジ部２２は、装飾部３０の内部に形成される雌ネジ部と螺合することにより、軸部２０と装飾部３０とを着脱自在に螺合するという機能を有する。なお、図２（Ｂ）に示す雄ネジ部２２のネジ山の形状は、説明の便宜上簡略化されているため、雄ネジ部２２に実際に形成されるネジ山の形状とは異なる場合がある。図７（Ｂ）に示す雄ネジ部２２のネジ山の形状も、説明の便宜上簡略化されたものである。
【００３２】
軸部２０と装飾部３０とを螺合させるための構造を具体的に説明すると、図２（Ａ）に示す装飾部３０は内部に雌ネジ部（図示せず）が形成されている基礎部３４を有する。また、図２（Ｂ）に示すように、軸部２０の端部には雄ネジ部２２が形成されている。基礎部３４の内部に形成された雌ネジ部は、軸部２０の端部に形成された雄ネジ部２２に対応する形状に形成されている。雌ネジ部及び雄ネジ部２２は、互いに螺合される形状であればネジ山の数や形状等は任意のもので足り、添付の図に示す例に限定されるものではない。さらに、本実施例においては軸部２０と装飾部３０とを着脱自在に結合するための構造としてネジにより螺合する構造を記載しているが、本考案にかかる携帯端末用アクセサリの軸部と装飾部との結合構造はこの構造に限定されるものではなく、軸部と装飾部とを着脱自在に結合することができる構造であれば他の構造であってもよい。
【００３３】
このような構造により、携帯端末用アクセサリは、本考案にかかる軸部２０と装飾部３０とに容易に分離することができることから、携帯端末ユーザは、同一の軸部２０に、自己の気分やＴＰＯに合わせて様々な装飾部３０を容易に付け替えることができるので、携帯端末ユーザは自己の気分やＴＰＯに合わせて様々な装飾を携帯端末に施して楽しむことができる。また、携帯端末ユーザが長期間同一の軸部２０を備える携帯端末用アクセサリを使用することによる摩耗等によって軸部２０が劣化・損傷した場合でも、軸部２０のみを交換することによって、同じ装飾部３０を長期間継続して使用することができる。
【００３４】
本考案に係る携帯端末用アクセサリは、このような取り替え可能な構造を有することにより、貴金属や宝石等を用いた高価な装飾を施した装飾部であっても継続して長期間愛用することができる。また、安価な装飾部であっても様々なデザイン・大きさ・材質の装飾部を適宜付け替えて使用することができるため、携帯端末ユーザの個性や好みをより多様な形で表現することができる。
【００３５】
次に、図２（Ｂ）及び図３を用いて本考案の一実施例にかかる軸部を説明する。図３は図２（Ｂ）に示す軸部２０のａ‐ａ’線から見た断面図である。図３に示すように、本考案の一実施例にかかる軸部２０の中心部にはステンレス芯棒である金属芯棒４０が形成されている。本実施例では、以後、本考案にかかる金属芯棒４０はステンレス製のステンレス芯棒であるものとして説明するが、本考案にかかる金属芯棒の素材はステンレスに限定されるものではなく、ある程度の硬度を有する金属であれば、銅やチタンなど他の金属製のものであってもよい。
【００３６】
本考案の一実施例にかかる軸部２０において、金属芯棒４０は、軸部２０の中心軸方向に細長い形状を有し、金属芯棒４０は携帯端末に挿入される携帯端末アクセサリの軸部の先端部２３に対向する端部側に形成されている。
【００３７】
金属芯棒４０の一端部は、ジャック孔２２０に嵌合される携帯端末アクセサリの軸部の先端部２３に対向する端部と同一の面を構成するように形成されており、金属芯棒４０の端部は軸部２０の端部の表面から突出していない。
【００３８】
図１に示す携帯端末アクセサリ１００のように携帯端末のジャック孔に差し込み嵌合させて装着する形状の携帯端末アクセサリの場合、着脱行為によって軸部が折れるなどの破損が生じる可能性の高い部分は、ジャック孔が形成された携帯端末の表面付近であることが多い。そこで、この位置に相当する軸部の強度を補強する必要がある。
【００３９】
本考案の一実施例にかかる軸部２０において、金属芯棒４０の長さは、例えば図３に示すように軸部２０の長さの約半分程度の長さであってもよい。金属芯棒４０の長さは、軸部の強度を補強することができる程度の長さを有するものであれば、図３に示す長さに限られず、どのような長さであってもよい。
【００４０】
また、本実施形態においては、図３に示すように、属芯棒４０の形状が円柱状である場合、その太さは直径１．５ｍｍであってもよい。しかし、金属芯棒４０の太さは、携帯端末アクセサリの着脱行為によって軸部が折れるなどの破損が生じることを防ぐために必要な強度が得られる程度の太さであって、軸部２０の内部に収まる太さであれば、どのような太さであってもよい。
【００４１】
さらに、図２（Ｂ）に示すように、軸部２０の携帯端末２００に挿入される側の先端部２３は、先に向かって細くなる形状を有してもよい。ただし、先端部２３は必ずしも鋭利な形状である必要はなく、軸部２０の他の部分の太さに比較して細いものであれば足りる。
【００４２】
また、本考案にかかる軸部２０の外形を形成する円柱の外周には一般的な携帯端末に形成されるジャック孔の内部構造に対応した複数の溝２４、２６，２８が形成されていてもよい。図１及び図２には軸部２０の外周に３つの溝が形成された例を図示したが、本考案の軸部２０の形状はこれに限られるものではなく、軸部２０において溝の形成される位置や個数は携帯端末２００のジャック孔２２０に挿入可能な形状である限り、任意に変更されてもよい。
【００４３】
このように本考案にかかる軸部２０の外形を形成する円柱の外周にジャック孔の内部構造に対応した複数の溝２４、２６，２８が形成されるという構造により、携帯端末用アクセサリ１００を携帯端末２００のジャック孔２２０に差し込み嵌合する際に、携帯端末用アクセサリ１００がジャック孔２２０内部に安定的に嵌合されるため、携帯端末用アクセサリ１００をジャック孔２２０から意図的に引き抜こうとしない限り、不意に携帯端末用アクセサリ１００がジャック孔２２０から不用意に抜け落ちることを防止することができる。
【００４４】
本考案にかかる軸部の材質は、雄ネジ部２２、先端部２３、及び溝２４，２６，２８等の形成を容易にし、かつ、携帯端末２００のジャック孔２２０内部に形成されている接続端子との電気的接触を回避するために、絶縁性を有する樹脂等の材質であることが望ましい。
【００４５】
本考案にかかる軸部は、例えばポリアセタール、アセタール樹脂、又はポリアセタール樹脂であってもよい。ポリアセタールは非晶部分と結晶部分とが混在するため、強度、弾性、耐衝撃性に優れたプラスチックである。本考案にかかる軸部の材質としてはポリアセタールのような強度、弾性、耐衝撃性に優れた材質を用いることができる。
【００４６】
本件考案にかかる携帯端末用アクセサリの軸部は、このように携帯端末のジャック孔の形状に対応して形成されており、ジャック孔に差し込み嵌合することができるため、ストラップ等を付けるためのストラップホールが形成されていない携帯端末にも装着することができ、スマートフォンをはじめとする様々な携帯端末に装着して携帯端末を多様に装飾することができる。
【００４７】
また、本件考案にかかる携帯端末用アクセサリの軸部２０は携帯端末のジャック孔に差し込まれて嵌合されて使用されるため、内部にイヤホン端子が形成されたジャック孔内にほこりや水が浸入するのをある程度防ぐことができる。
【００４８】
さらに、本件考案にかかる携帯端末用アクセサリの軸部２０は、中心部に金属芯棒が形成されているため、携帯端末アクセサリの着脱行為によって軸部が折れるなどの破損が生じることを防ぐことができる。
【００４９】
次に、図２（Ａ）等を参照して、本件考案にかかる携帯端末用アクセサリの軸部２０に螺合される装飾部３０について説明する。装飾部３０は、任意の装飾が施されたアクセサリ部３６と、アクセサリ部３６が形成される基礎となる基礎部３４とを有する。
【００５０】
装飾部３０は、基礎部３４の一部をアクセサリ部３６が覆うようにして形成されてもよく、基礎部３４は略円筒状の外形を有し、円筒の一方の底に開口が形成され、開口の内部には本件考案にかかる携帯端末用アクセサリの軸部に螺合される雌ネジ部が形成されてもよい。雌ネジ部は、軸部２０に形成された雄ネジ部２２に対応する形状に形成されており、雄ネジ部２２と螺合される形状であればネジ山の数や雌ネジ部の形状等は任意のもので足りる。雌ネジ部は、軸部２０に形成される雄ネジ部２２と螺合することにより、装飾部３０と軸部２０とを着脱自在に接続するという機能を有する。
【００５１】
基礎部３４の材質は、内部に雌ネジ部を形成することができるようなものであれば足り、例えば銀、金、プラチナ等の貴金属、その他の金属であってもよい。
【００５２】
基礎部３４とアクセサリ部３６との接合関係は、アクセサリ部３６が基礎部３４の上に形成されていれば足り、その他の接合関係はアクセサリ部の形状・デザイン・材質等に応じて任意に設定されてもよい。
【００５３】
また、アクセサリ部３６の大きさ・素材・デザインは、基礎部３４の上に形成可能なものであればどのようなであってもよい。図１、図２等ではバラの形状を有するアクセサリ部３６を示したが、アクセサリ部はその他の形状も広く含み、例えば図７等に示す王冠の形状、ドクロの形状、その他の任意の形状を有するものとしてもよい。
【００５４】
また、アクセサリ部３６に用いられる材質も一般に装飾品として用いられるあらゆる材質を用いることが可能であり、例えば銀で形成された王冠の頂上にクリスタルガラスがはめ込まれているような形状のものをアクセサリ部とすることもできる。
【００５５】
アクセサリ部３６には、例えば一つ又は複数の宝石や貴石、真珠等を用いてもよく、その他にも例えば金属、樹脂、クリスタル、プラスチック又はガラス、あるいは布や木材などの天然素材を用いてもよく、又はこれらの材質のいくつかを組み合わせたものでもよい。
【００５６】
また、アクセサリ部３６は立体的なデザインのものであってもよいし、平面的なデザインのものであってもよい。
【００５７】
次に、図４から図６を参照して携帯端末用アクセサリを携帯端末２００に装着した状態を説明する。
【００５８】
図４は図１に示した携帯端末用アクセサリ１００を携帯端末２００のジャック孔２２０（図５を参照）に装着した状態を示す正面平面図であり、図５は図１の携帯端末用アクセサリ１００を装着した携帯端末の部分断面図である。また、図６（Ａ）は携帯端末用アクセサリ１００を装着する前の携帯端末２００の一例を示す上面平面図であり、図６（Ｂ）は図６（Ａ）に示す携帯端末２００において携帯端末用アクセサリ１００を装着した後の携帯端末２００の上面平面図である。
【００５９】
図４から図６においては携帯端末２００として携帯電話を図示したが、本考案にかかる携帯端末用アクセサリの軸部が装着される携帯端末２００はこれに限られるものではなく、例えば音楽再生用の携帯端末、電子書籍閲覧用の携帯端末等であってもよく、イヤホンプラグを挿入するためのジャック孔が形成されている機器であればどのようなものでもよい。図４等に一例として示す携帯端末２００は、正面に受話口１２０とディスプレイ１４０と操作ボタン１６０とを有し、図６（Ａ）に示すように上面に電源ボタン２４０とジャック孔２２０とを有するものでもよい。
【００６０】
図４及び図５に示すように、携帯端末用アクセサリ１００を携帯端末２００のジャック孔２２０に差し込み嵌合させると、携帯端末用アクセサリ１００は基礎部３４及びアクセサリ部３６からなる装飾部３０が携帯端末２００のジャック孔２２０の外部に突出した状態でジャック孔２２０内に嵌合される。図５を参照すると、携帯端末２００のジャック孔２２０に差し込み嵌合させた携帯端末用アクセサリ１００の軸部２０の先端部は、ジャック孔２２０の奥まで安定的に差し込むことができる。なお、図５に示すジャック孔２２０の内部構造は説明の便宜上簡略化されて記載されているため、実際のジャック孔２２０の内部構造はこれと異なる場合がある。図１０及び図１１（Ｃ）に示すジャック孔２２０の内部構造も同様である。
【００６１】
携帯端末用アクセサリ１００を携帯端末２００から取り外す場合には、外部に突出している装飾部３０を指でつかんで上に引き抜くことによって携帯端末用アクセサリ１００を携帯端末２００から取り外すことができる。
【００６２】
図５及び図６に示すように、携帯端末用アクセサリ１００が装着される位置は携帯端末に形成されたジャック孔２２０の位置に対応する。したがって、携帯端末用アクセサリ１００を取り付けようとする携帯端末２００の構造に応じて、図４から図６等に示す位置とは異なる位置に携帯端末用アクセサリ１００が装着されてもよい。
【００６３】
次に、図７から図１０を用いて本考案の他の実施例にかかる携帯端末用アクセサリの軸部を説明する。図７（Ａ）は本考案の他の実施例にかかる携帯端末用アクセサリ３００（図９、図１０等を参照）の軸部３２０に結合される装飾部３３０の概略図である。図８は図７（Ｂ）のｂ‐ｂ’線から見た断面図である。また、図９（Ａ）は図７に示す携帯端末用アクセサリ３００の概略図であり、図９（Ｂ）は図７に示す携帯端末用アクセサリ３００の断面図である。さらに、図１０は図９（Ａ）の携帯端末用アクセサリ３００を取り付けた携帯端末２００の部分断面図である。なお、図９（Ｂ）に示す基礎部３３４の内部構造は簡略化されて記載されたものであり、実際の基礎部３３４の内部には雌ネジ部が形成されている。同様に図１１（Ｂ）に示す基礎部３３４の内部構造も簡略化されて記載されたものである。
【００６４】
図７（Ａ）を参照すると、本考案の他の実施例にかかる携帯端末用アクセサリ３００の軸部３２０に結合される装飾部３３０は、基礎部３３４とアクセサリ部３３６とを有する。図１０を参照すると、装飾部３３０の基礎部３３４は、携帯端末２００に形成されるジャック孔２２０の直径より大きな幅を有するため、携帯端末用アクセサリ３００をジャック孔２２０に差し込み嵌合すると、基礎部３３４の底部が携帯端末２００の外面に接するため、軸部３２０はそれ以上ジャック孔２２０の奥に差し込むことができないという点で装飾部３０と異なる。その構造は装飾部３０の構造と同様であるため省略する。
【００６５】
図７（Ｂ）及び図８に示すように、本考案の他の実施例にかかる軸部３２０の中心部には金属芯棒３４０が形成されており、金属芯棒３４０の端部は、軸部３２０の携帯端末に挿入される側の先端部２３に対向する側の端部の表面から突出している。軸部３２０の端部から突出する金属芯棒３４０の端部の長さαは、装飾部３３０を軸部３２０に螺合した場合に、装飾部３３０から露出する軸部３２０の長さを調整するために調整されてもよい。
【００６６】
具体的には、軸部３２０の端部から突出する金属芯棒３４０の端部の長さαは、図９（Ｂ）及び図１０に示すように、装飾部３３０を軸部３２０に螺合した場合に装飾部３３０から露出する軸部３２０を、ジャック孔２２０の奥まで安定して差し込むことができる程度に調整されてもよい。例えば、図９（Ｂ）及び図１０に示す本件考案の実施例において、軸部３２０の端部から突出する金属芯棒３４０の端部の長さαは約１ｍｍであってもよい。軸部３２０のその他の構造は軸部２０と同様であるため省略する。なお、図９（Ｂ）には図示していないが、基礎部３３４の内側には、軸部３２０の雄ネジ部２２に螺合する形状の雌ネジ部が形成されている。
【００６７】
本考案の他の実施例にかかる軸部３２０の効用を明らかにするため、図１１に示す比較例について説明する。図１１（Ａ）は図２（Ｂ）の携帯端末用アクセサリ１００の軸部２０に図７（Ａ）の装飾部３３０を組み合わせた携帯端末アクセサリ４００の概略図である。図１１（Ｂ）は図１１（Ａ）の携帯端末アクセサリ４００の断面図である。図１１（Ｃ）は図１１（Ａ）の携帯端末アクセサリ４００を取り付けた携帯端末２００の部分断面図である。なお、図１１（Ｂ）には図示していないが、基礎部３３４の内側には、軸部２０の雄ネジ部２２に螺合する形状の雌ネジ部が形成されている。
【００６８】
図１１に示す比較例にかかる携帯端末アクセサリ４００の装飾部３３０の基礎部３３４は、携帯端末２００に形成されるジャック孔２２０の直径より大きな幅を有する。また、比較例にかかる携帯端末アクセサリ４００の軸部２０に形成される金属芯棒４０の端部は、ジャック孔２２０に嵌合される先端部２３に対向する端部と同一の面に形成されており、金属芯棒４０の端部は軸部２０の端部の表面から突出していない。この比較例にかかる携帯端末アクセサリ４００を携帯端末のジャック孔２２０に差し込み嵌合した場合、図１１（Ｃ）に示すように、基礎部３３４の底部が携帯端末２００の外面に接するため、軸部２０をそれ以上ジャック孔２２０の奥に差し込むことができない。
【００６９】
このように、本考案の他の実施例にかかる軸部３２０を、装飾部３３０のようなジャック孔２２０の直径より大きな幅を有する装飾部に組み合わせて携帯端末に装着することにより、装飾部から露出する軸部３２０の長さを調整することができ、装飾部から露出する軸部を、ジャック孔２２０の奥まで安定して差し込むことができる。
【符号の説明】
【００７０】
１００，３００，４００  携帯端末用アクセサリ
２０，３２０  軸部
２２  雄ネジ部
３０，３３０  装飾部
３４、３３４  基礎部
３６，３３６  アクセサリ部
４０，３４０  金属芯棒
２００  携帯端末
２２０  ジャック孔
【図１】
0003171345.tif 000003
【図２】
0003171345.tif 000004
【図３】
0003171345.tif 000005
【図４】
0003171345.tif 000006
【図５】
0003171345.tif 000007
【図６】
0003171345.tif 000008
【図８】
0003171345.tif 000009
【図７】
0003171345.tif 000010
【図９】
0003171345.tif 000011
【図１０】
0003171345.tif 000012
【図１１】
0003171345.tif 000013